(57)【要約】【課題】動作停止情報の喪失を防止して予め定めた特定の動作を的確に制限できるようにした電子機器およびメモリアクセス制御方法を提供する。【解決手段】ＰＣ１は、メモリ１０と、チューナ部１１と、表示部１２と、音声出力部１３と、操作部１４と、記憶部１５と、制御部１６と、外部と通信部１７とを有する。チューナ部１１は、内部にフラッシュメモリ１１０を有し、フラッシュメモリ１１０は、ＴＶビュワ１５０のバージョン情報１１０ａとＴＶビュワ１５０との認証に用いる認証部１１０ｃとＴＶビュワ１５０の動作を制限するための動作停止情報１１０ｂとを保有する。記憶部１５は、チューナ部１１において受信したデジタル放送の映像信号を処理して表示するＴＶビュワ１５０を保有する。【選択図】図２
2008065424.tif 000002
【特許請求の範囲】
【請求項１】
ソフトウェアを保有する第１の記憶部と、
前記ソフトウェアに関する動作停止情報を保有する第２の記憶部とを有し、
前記第２の記憶部は、前記第１の記憶部の前記ソフトウェアと通信して前記ソフトウェアを認証した場合のみ前記動作停止情報の、書き込みおよび消去が可能となることを特徴とする電子機器。
【請求項２】
前記第２の記憶部は、容易に換装不能であることを特徴とする請求項１に記載の電子機器。
【請求項３】
デジタル放送の視聴が可能なソフトウェアを保有する第１の記憶部と、
前記ソフトウェアに関する動作停止情報を保有する第２の記憶部と、
前記デジタル放送を受信するチューナ部とを有し、
前記第２の記憶部は、前記第１の記憶部の前記ソフトウェアと通信して前記ソフトウェアを認証した場合と、前記チューナが前記デジタル放送より動作停止情報を書き換える書き換え情報を有する動作停止情報パケットを受信した場合、前記動作停止情報の書き込みおよび消去が可能となることを特徴とする電子機器。
【請求項４】
前記第２の記憶部は、容易に換装不能であることを特徴とする請求項３に記載の電子機器。
【請求項５】
前記第２の記憶部は、前記チューナー部に備えられたフラッシュメモリであることを特徴とする請求項３に記載の電子機器。
【請求項６】
前記チューナー部は、前記動作停止情報パケットとしてメーカＩＤ、機器モデルＩＤ、グループＩＤ、バージョン関連情報、および起動禁止期限を有する情報を受信し、前記メーカーＩＤ、前記機器モデルＩＤ、および前記グループＩＤが一致した場合、前記バージョン関連情報に従って前記第２の記憶部の前記動作停止情報内の情報を書き換えることを特徴とする請求項３に記載の電子機器。
【請求項７】
動作停止情報にアクセスがあった場合に、前記アクセスの内容を判断する判断ステップと、
前記アクセスの内容に基づいて前記動作停止情報の、書き込みおよび消去を許可する許可ステップとを有することを特徴とするメモリアクセス制御方法。
【請求項８】
前記判断ステップは、
前記動作停止情報にアクセスがあった場合に、前記アクセスに認証要求が含まれるか判断する要求判断ステップと、
前記要求判断ステップにおいて認証要求が含まれる場合に、前記アクセスが認証対象であるか判断する対象判断ステップと、
前記要求判断ステップにおいて前記アクセスに認証要求が含まれない場合に、前記アクセスが動作停止情報パケットに基づくものであるか判断する命令判断ステップとを有することを特徴とする請求項７に記載のメモリアクセス制御方法。
【請求項９】
前記許可ステップは、
前記判断ステップにおいて前記アクセスを認証した場合、および前記アクセスが前記動作停止情報パケットからの命令だった場合、前記動作禁止情報の書き込みおよび消去を許可することを特徴とする請求項８に記載のメモリアクセス制御方法。
【発明の詳細な説明】
【技術分野】
【０００１】
本発明は、デジタル放送波を受信して視聴可能な電子機器およびメモリアクセス制御方法に関し、特に動作停止情報の喪失を防止して予め定めた特定の動作を的確に制限できるようにした電子機器およびメモリアクセス制御方法に関する。
【背景技術】
【０００２】
従来の技術として、ハードウェアのバージョン情報を不揮発性メモリに記憶することにより、ソフトウェアが変更される際にもハードウェアのバージョン情報が継承される電子機器がある（例えば、特許文献１参照）。
【０００３】
この電子機器は、記憶部としての不揮発性メモリと、ＣＰＵ等の制御部を有し、最初にソフトウエアを不揮発性メモリに書き込む際に、同時にハードウェアのバージョン情報を不揮発性メモリに書き込む。不揮発性メモリのソフトウェアを初期化あるいは更新する際は、ソフトウェアは、ハードウェアのバージョン情報が消去されないように不揮発性メモリ内の情報を書き換える。この構成において、ソフトウェアをハードウェアのバージョン情報に従って動作するように設定することで、電子機器は、ソフトウェアとハードウェアのバージョンが一致していない場合にも正常に動作する。
【特許文献１】特開平９−２５８９６８号公報
【発明の開示】
【発明が解決しようとする課題】
【０００４】
しかし、従来の電子機器によると、交換あるいは初期化が容易にできる不揮発性メモリにハードウェア情報とソフトウェアが保有されているため、当該不揮発性メモリが交換あるいは初期化されると、ハードウェアのバージョン情報が喪失されて、ハードウェアとソフトウェアの調和の取れた電子機器の正常な動作が期待できなくなる。
【０００５】
この電子機器において、予め定めた特定の動作を制限する動作停止情報を当該不揮発性メモリに格納したとすると、前記ハードウェア情報と同じように喪失する恐れがあり、当該特定の動作を制限できなくなる不都合が生じる。
【０００６】
従って、本発明の目的は、動作停止情報の喪失を防止して予め定めた特定の動作を的確に制限できるようにした電子機器およびメモリアクセス制御方法を提供することにある。
【課題を解決するための手段】
【０００７】
（１）本発明は上記目的を達成するため、ソフトウェアを保有する第１の記憶部と、前記ソフトウェアに関する動作停止情報を保有する第２の記憶部とを有し、前記第２の記憶部は、前記第１の記憶部の前記ソフトウェアと通信して前記ソフトウェアを認証した場合のみ前記動作停止情報の、書き込みおよび消去が可能となることを特徴とする電子機器を提供する。
【０００８】
このような構成によれば、ソフトウェアと、ソフトウェアの動作を制限する動作停止情報をそれぞれ別の記憶部に格納し、動作停止情報にアクセスするために認証を要するようにしたため、ソフトウェア書き換えや第１の記憶部の初期化等による動作停止情報の喪失を防止できる。
【０００９】
（２）また、本発明は上記目的を達成するため、デジタル放送の視聴が可能なソフトウェアを保有する第１の記憶部と、前記ソフトウェアに関する動作停止情報を保有する第２の記憶部と、前記デジタル放送を受信するチューナ部とを有し、前記第２の記憶部は、前記第１の記憶部の前記ソフトウェアと通信して前記ソフトウェアを認証した場合と、前記チューナが前記デジタル放送より動作停止情報を書き換える書き換え情報を有する動作停止情報パケットを受信した場合、前記動作停止情報の書き込みおよび消去が可能となることを特徴とする電子機器を提供する。
【００１０】
このような構成によれば、ソフトウェアと動作停止情報パケットからのアクセスによって動作停止情報を書き換えおよび消去を許可するため、ソフトウェアはデジタル放送を正しい制限情報のもとに視聴される。
【００１１】
（３）また、本発明は上記目的を達成するため、動作停止情報にアクセスがあった場合に、前記アクセスの内容を判断する判断ステップと、前記アクセスの内容に基づいて前記動作停止情報の、書き込みおよび消去を許可する許可ステップとを有することを特徴とするメモリアクセス制御方法を提供する。
【００１２】
このような方法によれば、（１）と同様の効果を有するメモリアクセス制御方法を達成できる。
【発明の効果】
【００１３】
本発明によれば、動作停止情報が保護される。
【発明を実施するための最良の形態】
【００１４】
以下に、本発明の電子機器およびアクセス制御方法の実施の形態を、図面を参照して詳細に説明する。
【００１５】
〔実施の形態〕
（電子機器の構成）
図１は、本発明の実施の形態に関する電子機器としてのＰＣの斜視図である。
【００１６】
このＰＣ１は、本体部２０と可動部２１から構成され、ヒンジ部２１１により開閉自在に接続されている。本体部２０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するための文字入力部１４０と、ポインティングデバイスとしてのタッチパッド１４１および決定スイッチ１４２とを有する。可動部２１は、文字や画像等を表示するカラー液晶表示パネル等の表示器からなる表示部１２を有する。
【００１７】
図２は、本発明の実施の形態に関するＰＣの概略構成図である。
【００１８】
このＰＣ１は、情報処理の際に一時的に情報を記憶するメモリ１０と、外部よりデジタル放送波を受信してチューニング可能なチューナ部１１と、文字や画像を表示する表示部１２と、表示部１２における画像表示に関する制御を行う表示制御部１２Ａと、音声情報を出力する音声出力部１３と、ユーザーの手操作等によりＰＣ１を操作するための図１に示す文字入力部１４０とタッチパッド１４１と決定スイッチ１４２とを含む操作部１４と、情報を読み書き自在に記録する記憶部１５と、ＰＣ１の各部を制御する制御部１６と、外部と通信して情報を取得する通信部１７とを有する。なお、各部はバスにより相互に接続されている。
【００１９】
チューナ部１１は、内部に不揮発性メモリであるフラッシュメモリ１１０を有し、フラッシュメモリ１１０は、チューナ部１１を動作させるための図示しないファームウェアと、バージョン領域１１０Ａを有する。バージョン領域１１０Ａは、後述するＴＶビュワ１５０のバージョン情報１１０ａと、ＴＶビュワ１５０の動作を制限するための動作停止情報１１０ｂと、ＴＶビュワ１５０との認証に用いる認証部１１０ｃとを有する。また、フラッシュメモリ１１０は、チューナ部１１に内蔵されているので、通常の使用状態あるいは保守状態では交換されることはない。
【００２０】
記憶部１５は、例えばハードディスクドライブであり、チューナ部１１において受信したデジタル放送の映像信号を処理するＴＶビュワ１５０を保有する。
【００２１】
図３は、本発明の実施の形態に関するＴＶビュワの概略構成図である。
【００２２】
ＴＶビュワ１５０は、アプリケーションの表示を行うＧＵＩ（Ｇｒａｐｈｉｃ  Ｕｓｅｒ  Ｉｎｔｅｒｆａｃｅ）の処理を行うＧＵＩ処理モジュール１６１と、ＧＵＩ処理モジュール１６１と後述するストリーム処理モジュール１６３とを統括するアプリケーション制御用処理モジュール１６２と、映像信号をデコードするストリーム処理モジュール１６３とを有する。
【００２３】
アプリケーション制御用処理モジュール１６２は、フラッシュメモリ１１０に保有されるバージョン情報１１０ａおよび動作停止情報１１０ｂを読み取るためのバージョン認識部１６２Ａと、バージョン情報１１０ａおよび動作停止情報１１０ｂの書き換えおよび消去の許可を得るために認証部１１０ｃと交渉する認証部１６２Ｂとを有する。また、アプリケーション制御用処理モジュール１６２は、デジタル放送波に含まれるパケットを受信し、そのパケットの内容に基づいた処理をする。
【００２４】
ストリーム処理モジュール１６３は、デコードが可能で、信号を受信する信号入力１６３Ｃと、映像信号を処理する映像処理１６３Ａと、音声信号を処理する音声処理１６３Ｂと、信号を出力する信号出力１６３Ｄとを有する。デコード時には、信号入力１６３Ｃがチューナ部１１から映像信号を受信し、映像処理１６３Ａが映像信号の映像成分を、音声処理１６３Ｂが映像信号の音声成分を処理すると、信号出力１６３Ｄは処理された映像信号を表示部１２と音声出力部１３に出力する。
【００２５】
図４は、本発明の実施の形態に関するデジタル放送波中に含まれる動作停止情報パケットを示す図表である。
【００２６】
動作停止情報１１０ｂに関する動作停止情報パケット１１００は、デジタル放送波中に含まれ、パケットを受信する電子機器のメーカーを特定するためのメーカーＩＤ１１００ａと、機器を特定するための機器モデルＩＤ１１００ｂとを有し、これらがパケットを受信する電子機器としてのＰＣ１の情報と一致した場合にＰＣ１によって動作停止情報パケット１１００のパケット構造解釈処理が行われる。ここで、パケット構造解釈処理とは、グループＩＤ１１００ｃ〜起動禁止期限１１００ｈを読み込むことである。
【００２７】
また、動作停止情報１１０ｂに関する動作停止情報パケット１１００は、対象となるソフトウェアを特定するためのグループＩＤ１１００ｃと、アップデート対象となるソフトウェアのバージョン情報を指定するターゲットバージョン１１００ｄと、新しく必要となるソフトウェアのバージョン情報を指定するニューバージョン１１００ｅと、新しく必要となるソフトウェアが強制ダウンロードされるか任意ダウンロードされるかを指定するダウンロードレベル１１００ｆと、対象となるバージョン情報の範囲を指定するバージョンインジケータ１１００ｇと、アップデートされていないソフトウェアの起動が禁止される期限を指定する起動禁止期限１１００ｈとを有する。
【００２８】
（動作）
以下に、本発明の実施の形態におけるＰＣの動作を図１から図７を参照しつつ説明する。
【００２９】
各操作は操作部１４において行われ、ＴＶアプリ１５０の各処理は制御部１６において実行される。制御部１６において処理が実行される際、メモリ１０は一時的にデータを記録することで処理を補助する。チューナ部１１は、外部よりデジタル放送波を受信し、デジタル放送波の映像信号は制御部１６により処理される。
【００３０】
デジタル放送信号は、例えばトランスポートストリームにより送信され、複数の映像信号とパケットとを含む。映像信号の映像はＴＶビュワ１５０のストリーム処理モジュール１６３の映像処理１６３Ａでデコードされ、表示制御部１２Ａにより表示部１２に表示される。また、映像信号の音声はＴＶビュワ１５０のストリーム処理モジュール１６３の音声処理１６３Ｂでデコードされ、音声出力部１３から出力される。パケットはＴＶビュワ１５０のアプリケーション制御用処理モジュール１６２において処理される。
【００３１】
フラッシュメモリ１１０は、各部からアクセスが可能だが、バージョン情報１１０ａおよび動作停止情報１１０ｂへのアクセスに関しては読み出しのみ可能で、書き込みおよび消去は認証部１１０ｃの許可が必要となる。
【００３２】
ＴＶビュワ１５０は、チューナ部１１が受信するデジタル放送波をデコードする際、デジタル放送波のトランスポートストリーム中に動作停止情報パケット１１００が含まれる場合は、そのパケット構造を解釈する。また、同時にバージョン情報１１０ａを読み込んで、動作停止情報パケット１１００の制限のもとに動作する。
【００３３】
例えば、ＴＶビュワ１５０は、メーカーＩＤ１１００ａ、機器モデルＩＤ１１００ｂ、およびグループＩＤ１１００ｃの一致する動作停止情報パケット１１００を受信すると、ターゲットバージョン１１００ｄ、およびバージョンインジケータ１１００ｇとバージョン情報１１０ａを比較し、一致した場合には、起動禁止期限１１００ｈに従いＴＶビュワ１５０の動作を停止する。
【００３４】
ダウンロードレベル１１００ｆがバージョン情報の書き換えを強制するものである場合は、ニューバージョン１１００ｅに従ってバージョン情報１１０ａの内容を書き換える。書き換えに必要な情報は、例えば通信部１７を介してインターネットを通じダウンロードする等の方法を用いても良い。
【００３５】
図５は、本発明の実施の形態に関する認証動作を示すフローチャートである。
【００３６】
まず、フラッシュメモリ１１０のバージョン情報１１０ａおよび動作停止情報１１０ｂにアクセスがあると（Ｓ１）、認証部１１０ｃは、アクセス先から認証要求があるかを確認する（Ｓ２）。
【００３７】
アクセスがＴＶビュワ１５０の認証部１６２Ｂからの認証要求である場合（Ｓ２；Ｙｅｓ）、認証部１１０ｃは、ＴＶビュワ１５０が認証を許可するソフトウェアであるかどうか判断する（Ｓ３）。ＴＶビュワ１５０が認証される場合（Ｓ３；Ｙｅｓ）、バージョン情報１１０ａおよび動作停止情報１１０ｂへの情報の書き込みおよび消去を許可する（Ｓ４）。ＴＶビュワ１５０が認証されない場合（Ｓ３；Ｎｏ）、バージョン情報１１０ａおよび動作停止情報１１０ｂへの情報の書き込みおよび消去を禁止する（Ｓ６）。
【００３８】
アクセスが認証要求でない場合（Ｓ２；Ｎｏ）、認証部１１０ｃはアクセスがバージョン情報および動作停止情報に関係する動作停止情報パケット１１００であるかを判断する（Ｓ５）。アクセスが動作停止情報パケット１１００からの命令である場合（Ｓ５；Ｙｅｓ）、バージョン情報１１０ａおよび動作停止情報１１０ｂへの情報の書き込みおよび消去を許可する（Ｓ４）。アクセスが動作停止情報パケット１１００からの命令でない場合（Ｓ５；Ｎｏ）、バージョン情報１１０ａおよび動作停止情報１１０ｂへの情報の書き込みおよび消去を禁止する（Ｓ６）。
【００３９】
なお、バージョン情報１１０ａおよび動作停止情報１１０ｂの読み出しに関するアクセスは常に許可される。
【００４０】
図６は、本発明の実施の形態に関するパケット受信時の動作を示すフローチャートである。
【００４１】
まず、デジタル放送波のトランスポートストリーム中に、ＰＣ１とメーカーＩＤ１１００ａおよび機器ＩＤが一致する動作停止情報パケット１１００があった場合（Ｓ１１；Ｙｅｓ）、アプリケーション制御用処理モジュール１６２においてパケット構造解釈処理を実行する（Ｓ１２）。
【００４２】
次に、動作停止情報パケット１１００の有するグループＩＤ１１００ｃが、ＴＶビュワ１５０に関するものである場合（Ｓ１３；Ｙｅｓ）、バージョン情報１１０ａと、動作停止情報パケット１１００内のターゲットバージョン１１００ｄおよびバージョンインジケータ１１００ｇを比較する（Ｓ１４）。ターゲットバージョン１１００ｄおよびバージョンインジケータ１１００ｇがバージョン情報１１０ａに一致し、ニューバージョン１１００ｅがバージョン情報１１０ａより新しい場合（Ｓ１４；Ｙｅｓ）、フラッシュメモリ１１０の動作停止情報１１０ｂに動作停止情報パケット１１００内の情報を書き込む（Ｓ１５）。
【００４３】
起動禁止期限１１００ｈが現在より未来である場合（Ｓ１６；Ｙｅｓ）、起動禁止期限１１００ｈを告知するために表示部１２に表示する（Ｓ１９）。
【００４４】
起動禁止期限１１００ｈが以前のものである場合（Ｓ１６；Ｎｏ）、起動禁止期限１１００ｈを超過しているためにＴＶビュワ１５０を停止する旨を表示し（Ｓ１７）、ＴＶビュワ１５０を停止する（Ｓ１８）。
【００４５】
図７は、本発明の実施の形態に関するＴＶビュワの起動動作を示すフローチャートである。
【００４６】
まず、ＴＶビュワ１５０の起動操作があると（Ｓ２１）、ＴＶビュワ１５０は、フラッシュメモリ１１０のバージョン情報１１０ａと動作停止情報１１０ｂを読み出す（Ｓ２２）。
【００４７】
動作停止情報１１０ｂがフラッシュメモリ１１０内に存在する場合（Ｓ２３；Ｙｅｓ）、動作停止情報１１０ｂ内とバージョン情報１１０ａのバージョンを比較する（Ｓ２４）。
【００４８】
動作停止情報１１０ｂに含まれるニューバージョン１１００ｅがバージョン情報１１０ａのバージョンより新しい場合（Ｓ２４；Ｙｅｓ）、図６において説明したＳ１６〜Ｓ１９を実行し、起動禁止期限が現在より未来である場合（Ｓ１６；Ｙｅｓ）、起動禁止期限を告知するために表示部１２に表示し（Ｓ１９）、通常通り起動する。
【００４９】
起動禁止期限が以前のものである場合（Ｓ１６；Ｎｏ）、起動禁止期限を超過しているためにＴＶビュワ１５０を停止する旨を表示し（Ｓ１７）、ＴＶビュワ１５０を停止して起動しない（Ｓ１８）。
【００５０】
動作停止情報１１０ｂに含まれるニューバージョン１１００ｅがバージョン情報１１０ａのバージョンより新しくない場合（Ｓ２４；Ｎｏ）、その動作停止情報はＰＣ１にとって無意味なものとなるので、フラッシュメモリ１１０内の動作停止情報１１０ｂを消去する（Ｓ２５）。
【００５１】
Ｓ２３において、動作停止情報１１０ｂがフラッシュメモリ１１０内に存在しない場合（Ｓ２３；Ｎｏ）、ＴＶビュワ１５０の動作は制限されないため通常通り起動する。
【００５２】
（実施の形態の効果）
上記した本発明の実施の形態によると、ＴＶビュワ１５０のバージョン情報１１０ａ、およびＴＶビュワ１５０の動作を制限するための動作停止情報１１０ｂを、ＴＶビュワ１５０が保有されている記憶部１５とは別の記憶部であるフラッシュメモリ１１０に格納し、フラッシュメモリ１１０へのアクセスを制限する認証部１１０ｃを設けたため、不必要にバージョン情報１１０ａおよび動作停止情報１１０ｂが変更または削除されることがなくなる。
【００５３】
また、その結果、ＴＶビュワ１５０を再インストールした場合や、記憶部１５を交換してＴＶビュワ１５０を新たインストールした場合にも、フラッシュメモリ１１０内の動作停止情報１１０ｂは保持されるため、ＴＶビュワ１５０は動作停止情報１１０ｂ通りに正常に動作する。
【００５４】
また、バージョン情報１１０ａおよび動作停止情報１１０ｂを換装不可能なチューナ部１１内のフラッシュメモリ１１０内に保有することで、不正な改造等によるバージョン情報１１０ａおよび動作停止情報１１０ｂの変更を防止することができる。
【００５５】
なお、バージョン情報１１０ａおよび動作停止情報１１０ｂの格納先は、換装不可能な記憶部であれば媒体の種類は問わない。
【００５６】
なお、フラッシュメモリ１１０に格納されるバージョン情報１１０ａに関しては、ＴＶビュワ１５０に含まれるものとして記憶部１５に格納されるものとしてもよい。
【００５７】
なお、バージョン情報１１０ａおよび動作停止情報１１０ｂは、記憶部１５に保有されるソフトウェアの種類またはバージョンごとに複数存在してもよく、それらをフラッシュメモリ１１０内にバージョン領域１１０Ａを複数設けて保有することで、それぞれのソフトウェアに独立に制限を設けることが可能となる。
【００５８】
なお、電子機器としてＰＣの他に、携帯型の電子機器やＴＶ、ビデオ等、映像を表示する電子機器であれば同様の効果を得られる。
【図面の簡単な説明】
【００５９】
【図１】本発明の実施の形態に関する電子機器としてのＰＣの斜視図である。
【図２】本発明の実施の形態に関するＰＣの概略構成図である。
【図３】本発明の実施の形態に関するＴＶビュワの概略構成図である。
【図４】本発明の実施の形態に関するデジタル放送波中に含まれるパケットの具体例を示す図表である。
【図５】本発明の実施の形態に関する認証動作を示すフローチャートである。
【図６】本発明の実施の形態に関するパケット受信時の動作を示すフローチャートである。
【図７】本発明の実施の形態に関するＴＶビュワの起動動作を示すフローチャートである。
【符号の説明】
【００６０】
１…ＰＣ、１０…メモリ、１１…チューナ部、１２…表示部、１２Ａ…表示制御部、１３…音声出力部、１４…操作部、１５…記憶部、１６…制御部、１７…通信部、２０…本体部、２１…可動部、１１０…フラッシュメモリ、１１０Ａ…バージョン領域、１１０ａ…バージョン情報、１１０ｂ…動作停止情報、１１０ｃ…認証部、１４０…文字入力部、１４１…タッチパッド、１４２…決定スイッチ、１５０…ＴＶビュワ、１６１…処理モジュール、１６２…アプリケーション制御用処理モジュール、１６２Ａ…バージョン認識部、１６２Ｂ…認証部、１６３…ストリーム処理モジュール、１６３Ａ…映像処理、１６３Ｂ…音声処理、１６３Ｃ…信号入力、１６３Ｄ…信号出力、２１１…ヒンジ部、１１００…動作停止情報パケット、１１００ａ…メーカーＩＤ、１１００ｂ…機器モデルＩＤ、１１００ｃ…グループＩＤ、１１００ｄ…ターゲットバージョン、１１００ｅ…ニューバージョン、１１００ｆ…ダウンロードレベル、１１００ｇ…バージョンインジケータ、１１００ｈ…起動禁止期限
【図１】
2008065424.tif 000003
【図２】
2008065424.tif 000004
【図３】
2008065424.tif 000005
【図４】
2008065424.tif 000006
【図５】
2008065424.tif 000007
【図６】
2008065424.tif 000008
【図７】
2008065424.tif 000009